(57)【要約】【課題】乾燥路面における操縦安定性を向上しながら、タイヤ重量および転がり抵抗を充分に低く維持することを可能にした空気入りタイヤを提供する。【解決手段】車両に対する装着方向が指定された空気入りタイヤにおいて、車両内側のビードフィラー高さＦＨ１と車両外側のビードフィラー高さＦＨ２とを異ならせて、これらビードフィラー高さＦＨ１およびＦＨ２がＦＨ１＜ＦＨ２の関係を満たすようにし、カーカス層４とインナーライナー層９との層間であって前記一対のビード部３の各先端部分を除く領域の全域に亘って部分タイゴム層４０を限定的に配置する。【選択図】図１
2019055651.tif 000002
【特許請求の範囲】
【請求項１】
タイヤ周方向に延在して環状をなすトレッド部と、該トレッド部の両側に配置された一対のサイドウォール部と、これらサイドウォール部のタイヤ径方向内側に配置された一対のビード部とを備え、該一対のビード部間に装架されて各ビード部に設けられたビードコアと該ビードコアの外周上に配置されたビードフィラーとの廻りに折り返されたカーカス層と、前記トレッド部における該カーカス層の外周側に配置されたベルト層と、前記カーカス層に沿ってタイヤ内面に配置されたインナーライナー層とを有し、車両に対する装着方向が指定された空気入りタイヤにおいて、
車両に装着した際に車両に対して内側となる側を車両内側とし、車両に装着した際に車両に対して外側となる側を車両外側としたとき、車両内側のビードフィラー高さＦＨ１と車両外側のビードフィラー高さＦＨ２とが異なり、これらビードフィラー高さＦＨ１およびＦＨ２がＦＨ１＜ＦＨ２の関係を満たし、前記カーカス層と前記インナーライナー層との層間であって前記一対のビード部の各先端部分を除く領域の全域に亘って部分タイゴム層が限定的に配置されたことを特徴とする空気入りタイヤ。
【請求項２】
前記車両外側のビードフィラーの体積が前記車両内側のビードフィラーの体積よりも大きく、前記ビードフィラー高さＦＨ２が前記ビードフィラー高さＦＨ１の１２０％〜１５０％であることを特徴とする請求項１に記載の空気入りタイヤ。
【請求項３】
前記車両内側のビードフィラーのゴム硬度Ｈ１と前記車両外側のビードフィラーのゴム硬度Ｈ２とが異なり、これらゴム硬度Ｈ１およびＨ２がＨ１＜Ｈ２の関係を満たし、前記ゴム硬度Ｈ２が前記ゴム硬度Ｈ１の１０５％〜１２０％であることを特徴とする請求項１または２に記載の空気入りタイヤ。
【請求項４】
前記ビードフィラーを構成するゴムの硬度Ｈ１，Ｈ２がそれぞれ７０〜１００であることを特徴とする請求項１〜３のいずれかに記載の空気入りタイヤ。
【請求項５】
前記ベルト層のタイヤ幅方向最外側端部から前記インナーライナー層に向けて引いた垂線Ｐに対する前記部分タイゴム層の前記ビード部側への突出量Ｌ１が、前記垂線Ｐとタイヤ内表面との交点Ａからビードトウの先端点Ｂまでのタイヤ内面に沿ったペリフェリ長さＬ２の０．２５倍〜０．９０倍であることを特徴とする請求項１〜４のいずれかに記載の空気入りタイヤ。
【請求項６】
前記部分タイゴム層の車両内側の端部における突出量Ｌ１INと車両外側の端部における突出量Ｌ１OUT とが異なり、これら突出量Ｌ１INおよびＬ１OUT がＬ１IN＜Ｌ１OUT の関係を満たし、突出量Ｌ１OUT が突出量Ｌ１INの１２０％以上であり、これら突出量Ｌ１INおよびＬ１OUT の差が５ｍｍ〜３０ｍｍであることを特徴とする請求項１〜５のいずれかに記載の空気入りタイヤ。
【請求項７】
前記ビードフィラーの先端と前記部分タイゴム層の先端とがタイヤ径方向に１０ｍｍ以上離間することを特徴とする請求項１〜６のいずれかに記載の空気入りタイヤ。
【請求項８】
前記部分タイゴム層の車両外側の端部が前記車両外側のビードフィラーと重複する位置まで延在して終端する一方で、前記部分タイゴム層の車両内側の端部が前記車両内側のビードフィラーと重複せずに終端することを特徴とする請求項７に記載の空気入りタイヤ。
【請求項９】
前記部分タイゴム層の厚さが０．１ｍｍ〜１．３ｍｍであることを特徴とする請求項１〜８のいずれかに記載の空気入りタイヤ。
【請求項１０】
前記部分タイゴム層を構成するゴムの硬度が５０〜９０であることを特徴とする請求項１〜９のいずれかに記載の空気入りタイヤ。
【発明の詳細な説明】
【技術分野】
【０００１】
本発明は、車両に対する装着方向が指定された空気入りタイヤに関し、更に詳しくは、乾燥路面における操縦安定性を向上しながら、タイヤ重量および転がり抵抗を充分に低く維持することを可能にした空気入りタイヤに関する。
【背景技術】
【０００２】
近年、車両に対する装着方向が指定された空気入りタイヤにおいて、車両に装着した際に車両に対して内側となる車両内側と車両に対して外側になる車両外側とでタイヤの構造を異ならせて所望のタイヤ性能を高めることが行われている（例えば、特許文献１を参照）。このように車両内側と車両外側とで構造を非対称に構成したタイヤでは、車両外側のサイドウォール部の曲げ剛性が高いほどコーナリングパワーを向上することができるため、例えば、車両外側のビードフィラー高さを大きくすることで、乾燥路面における操縦安定性の向上を図ることができる。
【０００３】
しかしながら、ビードフィラー高さが大きくなるほどビードフィラーの使用量が増加して、タイヤ重量や転がり抵抗に悪影響が出るため、上述のようにビードフィラー高さを大きくして操縦安定性の向上を図ることには限度があり、必ずしも充分な効果が得られないという問題があった。そのため、車両外側のビードフィラー高さを大きくして操縦安定性の向上を図るにあたって、タイヤ重量および転がり抵抗を維持するための更なる改善が求められている。
【先行技術文献】
【特許文献】
【０００４】
【特許文献１】特開２００７‐０８３９１３号公報
【発明の概要】
【発明が解決しようとする課題】
【０００５】
本発明の目的は、乾燥路面における操縦安定性を向上しながら、タイヤ重量および転がり抵抗を充分に低く維持することを可能にした空気入りタイヤを提供することにある。
【課題を解決するための手段】
【０００６】
上記目的を達成するための本発明の空気入りタイヤは、タイヤ周方向に延在して環状をなすトレッド部と、該トレッド部の両側に配置された一対のサイドウォール部と、これらサイドウォール部のタイヤ径方向内側に配置された一対のビード部とを備え、該一対のビード部間に装架されて各ビード部に設けられたビードコアと該ビードコアの外周上に配置されたビードフィラーとの廻りに折り返されたカーカス層と、前記トレッド部における該カーカス層の外周側に配置されたベルト層と、前記カーカス層に沿ってタイヤ内面に配置されたインナーライナー層とを有し、車両に対する装着方向が指定された空気入りタイヤにおいて、車両に装着した際に車両に対して内側となる側を車両内側とし、車両に装着した際に車両に対して外側となる側を車両外側としたとき、車両内側のビードフィラー高さＦＨ１と車両外側のビードフィラー高さＦＨ２とが異なり、これらビードフィラー高さＦＨ１およびＦＨ２がＦＨ１＜ＦＨ２の関係を満たし、前記カーカス層と前記インナーライナー層との層間であって前記一対のビード部の各先端部分を除く領域の全域に亘って部分タイゴム層が限定的に配置されたことを特徴とする。
【発明の効果】
【０００７】
本発明の空気入りタイヤでは、車両外側のビードフィラー高さＦＨ２が車両内側のビードフィラー高さＦＨ１よりも大きくなっているので車両外側のサイドウォール部の剛性を高めることができる。その結果、車両外側のサイドウォール部におけるコーナリングパワーを増大することができ、乾燥路面における操縦安定性を向上することができる。このとき、ビードフィラー高さＦＨ２が大きい分ビードフィラーの使用量が増大するため、タイヤ重量や転がり抵抗への影響が懸念されるが、タイゴム層としてカーカス層とインナーライナー層との層間の全幅を覆うフルタイゴム層ではなく部分タイゴム層を採用してタイヤ重量を軽減し、転がり抵抗を低減しているので、ビードフィラー高さＦＨ２が大きくビードフィラーの使用量が増大してもタイヤ重量や転がり抵抗を良好に維持することができる。尚、本発明において、「ビードフィラー高さ」とは、ビードヒールからビードフィラーのタイヤ径方向外側端部までのタイヤ径方向に沿って測定される長さである。
【０００８】
本発明においては、車両外側のビードフィラーの体積が車両内側のビードフィラーの体積よりも大きく、ビードフィラー高さＦＨ２がビードフィラー高さＦＨ１の１２０％〜１５０％であることが好ましい。このようにビードフィラーの体積の大小関係を設定することで、車両外側のサイドウォール部の剛性を確実に高めることができる。更に、ビードフィラー高さＦＨ１に対するビードフィラー高さＦＨ２の比率を設定することで、タイヤ重量や転がり抵抗を悪化させることなく、車両外側のサイドウォール部の剛性を充分かつ適度に高めることができる。その結果、乾燥路面における操縦安定性の向上とタイヤ重量および転がり抵抗の低減とをバランスよく両立するには有利になる。
【０００９】
本発明においては、車両内側のビードフィラーのゴム硬度Ｈ１と車両外側のビードフィラーのゴム硬度Ｈ２とが異なり、これらゴム硬度Ｈ１およびＨ２がＨ１＜Ｈ２の関係を満たし、ゴム硬度Ｈ２がゴム硬度Ｈ１の１０５％〜１２０％であることが好ましい。このようにビードフィラーのゴム硬度の大小関係を設定することで、車両外側のサイドウォール部の剛性を確実に高めることができる。更に、ゴム硬度Ｈ１に対するゴム硬度Ｈ２の比率を設定することで、タイヤ重量や転がり抵抗を悪化させることなく、車両外側のサイドウォール部の剛性を充分かつ適度に高めることができる。その結果、乾燥路面における操縦安定性の向上とタイヤ重量および転がり抵抗の低減とをバランスよく両立するには有利になる。尚、本発明において、ビードフィラーのゴム硬度Ｈ１，Ｈ２は、ＪＩＳ  Ｋ６２５３に準拠しデュロメータのタイプＡにより温度２０℃で測定された硬さ（所謂、ＪＩＳ‐Ａ硬度）とする。
【００１０】
本発明においては、ビードフィラーを構成するゴムの硬度Ｈ１，Ｈ２がそれぞれ７０〜１００であることが好ましい。このようにビードフィラーのゴム硬度を適度な範囲に設定することで、転がり抵抗に悪影響を及ぼさずにビードフィラーによる剛性向上の効果を充分に得ることができる。
【００１１】
本発明においては、ベルト層のタイヤ幅方向最外側端部から前記インナーライナー層に向けて引いた垂線Ｐに対する前記部分タイゴム層の前記ビード部側への突出量Ｌ１が、前記垂線Ｐとタイヤ内表面との交点Ａからビードトウの先端点Ｂまでのタイヤ内面に沿ったペリフェリ長さＬ２の０．２５倍〜０．９０倍であることが好ましい。このように部分タイゴム層の端部の位置を設定することで、カーカス層とインナーライナー層との層間の全幅を覆わない部分タイゴム層であってもタイゴム層としての機能（カーカスコードの喰い込み防止）を確実かつ高度に発揮することができ、タイヤ重量および転がり抵抗を低減するには有利になる。尚、本発明における「突出量」とは、タイヤ子午線断面において、各タイヤ構成要素（部分タイゴム層）の延長方向に沿って測定される所謂ペリフェリ長さである。
【００１２】
本発明においては、部分タイゴム層の車両内側の端部における突出量Ｌ１INと車両外側の端部における突出量Ｌ１OUT とが異なり、これら突出量Ｌ１INおよびＬ１OUT がＬ１IN＜Ｌ１OUT の関係を満たし、突出量Ｌ１OUT が突出量Ｌ１INの１２０％以上であり、これら突出量Ｌ１INおよびＬ１OUT の差が５ｍｍ〜３０ｍｍであることが好ましい。このように車両外側の突出量Ｌ１OUT を大きくすることで、部分タイゴム層によっても車両外側のサイドウォール部の剛性を高めることができ、乾燥路面における操縦安定性を高めるには有利になる。このとき、突出量Ｌ１IN，Ｌ１OUT の差を適度な範囲に設定しているので、タイヤ重量および転がり抵抗についても良好に維持することができ、乾燥路面における操縦安定性の向上とタイヤ重量および転がり抵抗の低減とをバランスよく両立するには有利になる。
【００１３】
本発明においては、ビードフィラーの先端と部分タイゴム層の先端とがタイヤ径方向に１０ｍｍ以上離間することが好ましい。これにより、剥離等の故障の基点となるタイヤ構成部材（ビードフィラーおよび部分タイゴム）の先端が近接しなくなるので、タイヤの耐久性を高めることができる。
【００１４】
このとき、部分タイゴム層の車両外側の端部が車両外側のビードフィラーと重複する位置まで延在して終端する一方で、部分タイゴム層の車両内側の端部が車両内側のビードフィラーと重複せずに終端することが好ましい。これにより、車両外側のサイドウォール部の剛性を効率的に高めることができ、効果的に乾燥路面における操縦安定性を向上することができる。
【００１５】
本発明においては、部分タイゴム層の厚さが０．１ｍｍ〜１．３ｍｍであることが好ましい。このように部分タイゴム層の厚さを設定することで、タイヤ重量や転がり抵抗に悪影響を及ぼさずに部分タイゴム層による剛性向上の効果を充分に得ることができる。尚、本発明において「ゴム厚さ」とは、子午線断面において、各部分タイゴム層の断面積を各部分タイゴム層のペリフェリ長さで除して得た平均厚さである。
【００１６】
本発明においては、部分タイゴム層を構成するゴムの硬度が５０〜９０であることが好ましい。このように部分タイゴム層の硬度を設定することで、タイヤ重量や転がり抵抗に悪影響を及ぼさずに部分タイゴム層による剛性向上の効果を充分に得ることができる。尚、本発明において、部分タイゴムを構成するゴムの硬度は、ＪＩＳ  Ｋ６２５３に準拠しデュロメータのタイプＡにより温度２０℃で測定された硬さ（所謂、ＪＩＳ‐Ａ硬度）とする。
【図面の簡単な説明】
【００１７】
【図１】本発明の実施形態からなる空気入りタイヤの子午線断面図である。
【発明を実施するための形態】
【００１８】
以下、本発明の構成について添付の図面を参照しながら詳細に説明する。
【００１９】
図１に示すように、本発明の空気入りタイヤは、タイヤ周方向に延在して環状をなすトレッド部１と、このトレッド部１の両側に配置された一対のサイドウォール部２と、サイドウォール部２のタイヤ径方向内側に配置された一対のビード部３とを備えている。尚、図１において、ＣＬはタイヤ赤道を示す。この空気入りタイヤは、車両に対する装着方向が指定されている。具体的には、図のＩＮ側が車両に装着する際に車両に対して内側にするように指定された側（以下、車両内側という）であり、図のＯＵＴ側が車両に装着する際に車両に対して外側にするように指定された側（以下、車両外側という）である。このような装着方向は、例えばタイヤ外表面の任意の部位に設けられた表示を見ることで判別することができる。
【００２０】
左右一対のビード部３間にはカーカス層４が装架されている。このカーカス層４は、タイヤ径方向に延びる複数本の補強コードを含み、各ビード部３に配置されたビードコア５の廻りに車両内側から外側に折り返されている。また、ビードコア５の外周上にはビードフィラー６が配置され、このビードフィラー６がカーカス層４の本体部と折り返し部とにより包み込まれている。左右一対のビードフィラー６（車両内側のビードフィラー６１および車両外側のビードフィラー６２）は互いにビードフィラー高さが異なっている。具体的には、車両内側のビードフィラー高さＦＨ１と車両外側のビードフィラー高さＦＨ２とがＦＨ１＜ＦＨ２の関係を満たしている。
【００２１】
トレッド部１におけるカーカス層４の外周側には複数層（図１の例では２層）のベルト層７が埋設されている。各ベルト層７は、タイヤ周方向に対して傾斜する複数本の補強コードを含み、かつ層間で補強コードが互いに交差するように配置されている。これらベルト層７において、補強コードのタイヤ周方向に対する傾斜角度は例えば１０°〜４０°の範囲に設定されている。更に、ベルト層７の外周側にはベルト補強層８（図１の例ではベルト層７の両端部をそれぞれ覆う一対のベルト補強層８）が設けられている。ベルト補強層８は、タイヤ周方向に配向する有機繊維コードを含む。ベルト補強層８において、有機繊維コードはタイヤ周方向に対する角度が例えば０°〜５°に設定されている。タイヤ内面にはインナーライナー層９が設けられている。このインナーライナー層９は空気透過防止性能を有するブチルゴムを主体とするゴム組成物で構成され、タイヤ内に充填された空気がタイヤ外に透過することを防いでいる。
【００２２】
トレッド部１におけるカーカス層４の外周側にはトレッドゴム層１０が配され、サイドウォール部２におけるカーカス層４の外周側（タイヤ幅方向外側）にはサイドゴム層２０が配され、ビード部３におけるカーカス層４の外周側（タイヤ幅方向外側）にはリムクッションゴム層３０が配されている。トレッドゴム層１０は、物性の異なる２種類のゴム層（キャップトレッドゴム層、アンダートレッドゴム層）をタイヤ径方向に積層した構造であってもよい。
【００２３】
インナーライナー層９とカーカス層４との間には部分タイゴム層４０が配置されている。インナーライナー層９とカーカス層４との間に配置されるタイゴム層とは、タイヤ製造時に未加硫の空気入りタイヤをインフレートする際にカーカスコードがインナーライナー層９に喰い込むことを防止するための層であり、製造後のタイヤにおいては空気透過防止性や乾燥路面における操縦安定性に寄与するものである。従来のタイゴム層は、少なくともカーカス層４とインナーライナー層９との層間の全域（車両内側および車両外側のビード部３の先端どうしの間の全領域）を覆い、更に好ましくはビードコア５の廻りに車両内側から外側に折り返されるように設けられる所謂フルタイゴム層であったが、本発明の部分タイゴム層４０はビード部３の先端を除く領域に限定的に設けられている。
【００２４】
このように構成された本発明の空気入りタイヤでは、上述のように車両外側のビードフィラー６２のビードフィラー高さＦＨ２が車両内側のビードフィラー６１のビードフィラー高さＦＨ１よりも大きくなっているので車両外側のサイドウォール部２の剛性を高めることができる。その結果、車両外側のサイドウォール部２におけるコーナリングパワーを増大することができ、乾燥路面における操縦安定性を向上することができる。このとき、ビードフィラー高さＦＨ２が大きい分ビードフィラー６の使用量が増大するため、タイヤ重量や転がり抵抗への影響が懸念されるが、タイゴム層１０としてカーカス層４とインナーライナー層９との層間の全幅を覆う従来のフルタイゴム層ではなく上述の部分タイゴム層１０を採用してタイヤ重量を軽減し、転がり抵抗を低減しているので、ビードフィラー高さＦＨ２が大きくビードフィラー６の使用量が増大してもタイヤ重量や転がり抵抗を良好に維持することができる。
【００２５】
このとき、ビードフィラー高さＦＨ１，ＦＨ２が一致していたり、これらの大小関係が逆転してＦＨ１＞ＦＨ２の関係になっていると、車両外側のサイドウォール部２の剛性を高めることができず、乾燥路面における操縦安定性を向上する効果が得られない。
【００２６】
ビードフィラー高さＦＨ１，ＦＨ２をＦＨ１＜ＦＨ２の関係に設定するにあたって、ビードフィラー高さＦＨ２をビードフィラー高さＦＨ１の好ましくは１２０％〜１５０％、より好ましくは１２５％〜１３５％に設定するとよい。このようにビードフィラー高さＦＨ１に対するビードフィラー高さＦＨ２の比率を設定することで、タイヤ重量や転がり抵抗を悪化させることなく、車両外側のサイドウォール部２の剛性を充分かつ適度に高めることができ、乾燥路面における操縦安定性の向上とタイヤ重量および転がり抵抗の低減とをバランスよく両立するには有利になる。このとき、ビードフィラー高さＦＨ２がビードフィラー高さＦＨ１の１２０％よりも小さいと車両外側のサイドウォール部２の剛性を充分に向上することができず、操縦安定性を高める効果が限定的になる。ビードフィラー高さＦＨ２がビードフィラー高さＦＨ１の１５０％よりも大きいと、ゴム量が増大するため、タイヤ重量や転がり抵抗に悪影響が出て、これら性能を充分に維持することが難しくなる。また、乗心地性や騒音振動性にも悪影響が出る虞がある。
【００２７】
上記のように車両内側のビードフィラー６１と車両外側のビードフィラー６２とを非対称にするにあたって、更に、車両内側のビードフィラー６１の体積Ｖ１と車両外側のビードフィラー６２の体積Ｖ２とを異ならせて、これら体積Ｖ１およびＶ２がＶ１＜Ｖ２の関係を満たすようにすることが好ましい。このように車両外側のビードフィラー６２の体積Ｖ２を大きくすることで、単に車両外側のビードフィラー高さＦＨ２を大きくするよりも、確実に車両外側のサイドウォール部２の剛性を高めることができ、乾燥路面における操縦安定性を高めるには有利になる。このとき、体積Ｖ２は体積Ｖ１の好ましくは１２０％〜１５０％、より好ましくは１２５％〜１４０％であるとよい。このように体積Ｖ１に対する体積Ｖ２の比率を適度な範囲に設定することで、タイヤ重量および転がり抵抗についても良好に維持することができ、乾燥路面における操縦安定性の向上とタイヤ重量および転がり抵抗の低減とをバランスよく両立するには有利になる。このとき、体積Ｖ２が体積Ｖ１の１２０％よりも小さいと、車両外側のサイドウォール部２の剛性を充分に向上することができず、操縦安定性を高める効果が限定的になる。体積Ｖ２が体積Ｖ１の１５０％よりも大きいと、タイヤ重量や転がり抵抗に悪影響が出て、これら性能を充分に維持することが難しくなる。
【００２８】
ビードフィラー高さＦＨ１，ＦＨ２は上述の大小関係や比率を満たしていれば特に限定されないが、タイヤとしての一般的な性能を充分に発揮するために、共にタイヤ断面高さＳＨの１５％〜４０％に設定することが好ましい。特に、ビードフィラー高さＦＨ１をタイヤ断面高さＳＨの１５％〜２５％、ビードフィラー高さＦＨ２をタイヤ断面高さＳＨの３０％〜４０％に設定するとよい。このとき、ビードフィラー高さＦＨ１，ＦＨ２が共にタイヤ断面高さＳＨの１５％よりも小さいと、ビードフィラー６が小さくなるためタイヤ本来の性能に悪影響が出る虞がある。また、特にビードフィラー高さＦＨ２が小さいことで車両外側のサイドウォール部２の剛性を充分に向上することができず、操縦安定性を高める効果が限定的になる。ビードフィラー高さＦＨ１，ＦＨ２がタイヤ断面高さＳＨの４０％よりも大きいと、ゴム量が増大するため、タイヤ重量や転がり抵抗に悪影響が出て、これら性能を充分に維持することが難しくなる。
【００２９】
上記のように車両内側のビードフィラー６１と車両外側のビードフィラー６２とを非対称にするにあたって、更に、車両内側のビードフィラー６１のゴム硬度Ｈ１と車両外側のビードフィラー６２のゴム硬度Ｈ２とを異ならせて、これらゴム硬度Ｈ１およびＨ２がＨ１＜Ｈ２の関係を満たすようにすることが好ましい。このように車両外側のビードフィラー６２のゴム硬度Ｈ２を大きくすることで、単に車両外側のビードフィラー高さＦＨ２を大きくするよりも、確実に車両外側のサイドウォール部２の剛性を高めることができ、乾燥路面における操縦安定性を高めるには有利になる。このとき、ゴム硬度Ｈ２はゴム硬度Ｈ１の好ましくは１０５％〜１２０％、より好ましくは１１０％〜１１５％であるとよい。このようにゴム硬度Ｈ１に対するゴム硬度Ｈ２の比率を適度な範囲に設定することで、タイヤ重量および転がり抵抗についても良好に維持することができ、乾燥路面における操縦安定性の向上とタイヤ重量および転がり抵抗の低減とをバランスよく両立するには有利になる。このとき、ゴム硬度Ｈ２がゴム硬度Ｈ１の１０５％よりも小さいと、車両外側のサイドウォール部２の剛性を充分に向上することができず、操縦安定性を高める効果が限定的になる。ゴム硬度Ｈ２がゴム硬度Ｈ１の１２０％よりも大きいと、タイヤ重量や転がり抵抗に悪影響が出て、これら性能を充分に維持することが難しくなる。
【００３０】
ビードフィラーのゴム硬度Ｈ１，Ｈ２は上述の大小関係や比率を満たしていれば特に限定されないが、タイヤとしての一般的な性能を充分に発揮するために、共にＪＩＳ硬度で好ましくは７０〜１００、より好ましくは７５〜９５に設定するとよい。このとき、ビードフィラー６のゴム硬度Ｈ１，Ｈ２が７０よりも小さいと、ビードフィラー６による補強効果が不充分になりタイヤ本来の性能に影響が出る虞がある。ビードフィラー６のゴム硬度Ｈ１，Ｈ２が１００よりも大きいと、転がり抵抗を充分に維持することが難しくなる。
【００３１】
部分タイゴム層４０は、車両内側および車両外側のサイドウォール部２にそれぞれ端部を有するが、タイヤ製造時におけるカーカスコードのインナーライナー層９への喰い込みを確実に防止するために、各端部がベルト層のタイヤ幅方向最外側端部からビード部側に充分に突出していることが好ましい。具体的には、ベルト層７のタイヤ幅方向最外側端部からインナーライナー層９に向けて引いた垂線Ｐに対する部分タイゴム層４０のビード部３側への突出量Ｌ１を、垂線Ｐとタイヤ内表面との交点Ａからビードトウの先端点Ｂまでのタイヤ内面に沿ったペリフェリ長さＬ２の好ましくは０．２５倍〜０．９０倍、より好ましくは０．３０倍〜０．７０倍にするとよい。このように部分タイゴム層４０の端部の位置を設定することで、カーカス層４とインナーライナー層９との層間の全幅を覆わない部分タイゴム層４０であってもタイゴム層としての機能（カーカスコードの喰い込み防止）を確実かつ良好に発揮することができ、タイヤ重量および転がり抵抗を低減するには有利になる。このとき、突出量Ｌ１がペリフェリ長さＬ２の０．２５倍よりも小さいと、部分タイゴム層４０が覆う領域が狭くなるため、カーカスコードの喰い込み防止の効果が充分に得られなくなる。突出量Ｌ１がペリフェリ長さＬ２の０．９０倍よりも大きいと、部分タイゴム層４０の使用量が増大し、実質的にフルタイゴム層と同等になるため、タイヤ重量や転がり抵抗に悪影響が出て、これら性能を充分に維持することが難しくなる。
【００３２】
部分タイゴム層４０の突出量Ｌ１は、上記範囲を満たすだけでなく、１５ｍｍ以上であることが好ましい。本発明者は、部分タイゴム層４０を採用する場合における部分タイゴム層４０の配置について鋭意研究した結果、従来のフルタイゴム層を有する空気入りタイヤと同等の空気透過防止性と操縦安定性とを得るには、部分タイゴム層４０が少なくともベルト層７のタイヤ幅方向最外側端部の近傍の特定の領域（垂線Ｐの位置と垂線Ｐからビード部３側に部分タイゴム層４０に沿って１５ｍｍの位置との間の領域）を覆っていることが好ましいことを知見しており、突出量Ｌ１を上記のように１５ｍｍ以上とすることで、この領域を部分タイゴム層４０によって確実に覆うことが可能になり、空気透過防止性と操縦安定性を高度に維持するには有利になる。このとき、突出量Ｌ１が１５ｍｍ未満であると、前述の領域を覆うことができず、空気透過防止性および操縦安定性を良好に維持することが難しくなる。
【００３３】
部分タイゴム層４０はタイヤ赤道ＣＬに対して線対称な構造を有していてもよいが、車両内側と車両外側とで部分タイゴム層４０の端部位置が異なっていてもよい。特に、部分タイゴム層の車両内側の端部における突出量Ｌ１INと車両外側の端部における突出量Ｌ１OUT とが異なり、これら突出量Ｌ１INおよびＬ１OUT がＬ１IN＜Ｌ１OUT の関係を満たしていることが好ましい。このように車両外側における突出量Ｌ１OUT を大きくすることで、部分タイゴム層４０によっても車両外側のサイドウォール部２の剛性を高めることができ、乾燥路面における操縦安定性を高めるには有利になる。このとき、突出量Ｌ１OUT が突出量Ｌ１INの好ましくは１２０％以上であり、突出量Ｌ１INと突出量Ｌ１OUT との差が好ましくは５ｍｍ〜３０ｍｍ、より好ましくは１５ｍｍ〜２５ｍｍであるとよい。このように突出量Ｌ１IN，Ｌ１OUT の差を適度な範囲に設定することで、タイヤ重量および転がり抵抗についても良好に維持することができ、乾燥路面における操縦安定性の向上とタイヤ重量および転がり抵抗の低減とをバランスよく両立するには有利になる。このとき、突出量Ｌ１OUT が突出量Ｌ１INの１２０％未満であると、車両外側のサイドウォール部２の剛性を充分に向上することができず、操縦安定性を高める効果が限定的になる。突出量Ｌ１IN，Ｌ１OUT の差が５ｍｍよりも小さいと、車両外側のサイドウォール部２の剛性を充分に向上することができず、操縦安定性を高める効果が限定的になる。突出量Ｌ１IN，Ｌ１OUT の差が３０ｍｍよりも大きいと、部分タイゴム層４０の使用量が増大するため、タイヤ重量や転がり抵抗に悪影響が出て、これら性能を充分に維持することが難しくなる。
【００３４】
部分タイゴム層４０がタイヤ赤道ＣＬに対して線対称な構造の場合も、非対称な構造の場合も、ビードフィラー６のタイヤ径方向外側の先端と部分タイゴム層４０の先端とがタイヤ径方向に好ましくは１０ｍｍ以上、より好ましくは１５ｍｍ以上離間するとよい。言い換えると、ビードフィラー６のタイヤ径方向外側の先端と部分タイゴム層４０の先端との離間距離Ｄ１，Ｄ２が好ましくは１０ｍｍ以上、より好ましくは１５ｍｍ以上であるとよい。尚、これら先端どうしを離間させるにあたって、ビードフィラー６と部分タイゴム層４０とが重複して部分タイゴム層４０の先端がビードフィラー６の先端よりもタイヤ径方向内側に離間（ビードフィラー６の先端が部分タイゴム層４０の先端よりもタイヤ径方向外側に離間）してもよく、ビードフィラー６と部分タイゴム層４０とが重複せずに部分タイゴム層４０の先端がビードフィラー６の先端よりもタイヤ径方向外側に離間（ビードフィラー６の先端が部分タイゴム層４０の先端よりもタイヤ径方向内側に離間）してもよい。このようにタイヤ構成部材（ビードフィラー６および部分タイゴム層４０）の先端を離間させることで、剥離等の故障の基点となる各部材の先端が近接しなくなり、タイヤの耐久性を高めることができる。このとき、ビードフィラー６の先端と部分タイゴム層４０の先端との離間距離Ｄ１，Ｄ２が１０ｍｍ未満であると、タイヤ構成部材（ビードフィラー６および部分タイゴム層４０）の先端どうしが接近し過ぎるため、タイヤの耐久性に影響が出る虞がある。
【００３５】
特に、部分タイゴム層４０をタイヤ赤道ＣＬに対して非対称にする場合は、図１に示すように、部分タイゴム層４０の車両外側の端部を車両外側のビードフィラー６２と重複する位置まで延在して終端させる一方で、部分タイゴム層４０の車両内側の端部を車両内側のビードフィラー６１と重複せずに終端させることが好ましい。これにより、部分タイゴム層４０とビードフィラー６とが重複した車両外側のサイドウォール部２の剛性を効率的に高めることができ、効果的に乾燥路面における操縦安定性を向上することができる。
【００３６】
部分タイゴム層４０の厚さｔは、少なくともタイゴム層としての機能（カーカスコードの喰い込み防止）を充分に発揮するために、好ましくは０．１ｍｍ〜１．３ｍｍ、より好ましくは０．３ｍｍ〜１．１ｍｍにするよい。このように部分タイゴム層４０の厚さｔを設定することで、タイヤ重量や転がり抵抗に悪影響を及ぼさずに部分タイゴム層４０による剛性向上の効果を充分に得ることができる。このとき、部分タイゴム層４０の厚さｔが０．１ｍｍよりも小さいと、部分タイゴム層４０による補強効果が充分に得られなくなる。部分タイゴム層４０の厚さｔが１．３ｍｍよりも大きいと、部分タイゴム層４０の使用量が増大するため、タイヤ重量や転がり抵抗に悪影響が出て、これら性能を充分に維持することが難しくなる。
【００３７】
部分タイゴム層４０を構成するゴムの硬度は、少なくともタイゴム層としての機能（カーカスコードの喰い込み防止）を充分に発揮するために、好ましくは５０〜９０、より好ましくは７０〜８０にするとよい。このように部分タイゴム層４０を構成するゴムの硬度を設定することで、タイヤ重量や転がり抵抗に悪影響を及ぼさずに部分タイゴム層４０による剛性向上の効果を充分に得ることができる。このとき、部分タイゴム層４０を構成するゴムの硬度が５０よりも小さいと、部分タイゴム層４０による補強効果が充分に得られなくなる。部分タイゴム層４０を構成するゴムの硬度が９０よりも大きいと、タイヤ重量や転がり抵抗に悪影響が出て、これら性能を充分に維持することが難しくなる。
【００３８】
本発明では、上述のビードフィラー高さＦＨ１，ＦＨ２の関係を除く付加的なビードフィラー６の非対称構造（体積Ｖ１，Ｖ２やゴム硬度Ｈ１，Ｈ２）や、部分タイゴム層４０の非対称構造（突出量Ｌ１IN，Ｌ１OUT や離間距離Ｄ１，Ｄ２）は任意の組み合わせで採用することができる。これら構造を組み合わせることで、タイヤ重量や転がり抵抗を良好に維持しながら、車両外側のサイドウォール部２の剛性を効率的に高めて乾燥路面における操縦安定性を向上し、これら性能を高度にバランスよく両立することが可能になる。
【実施例】
【００３９】
タイヤサイズが１９５／６５Ｒ１５であり、図１に示す基本構造を有し、ビードフィラーについて、車両内側のビードフィラー高さＦＨ１と車両外側のビードフィラー高さＦＨ２との大小関係（高さＦＨ１，ＦＨ２の大小関係）、ビードフィラー高さＦＨ１に対するビードフィラー高さＦＨ２の比率ＦＨ２／ＦＨ１×１００％、車両内側のビードフィラーの体積Ｖ１と車両外側のビードフィラーの体積Ｖ２との大小関係（体積Ｖ１，Ｖ２の大小関係）、車両内側のビードフィラーのゴム硬度Ｈ１と車両外側のビードフィラーのゴム硬度Ｈ２との大小関係（硬度Ｈ１，Ｈ２の大小関係）、ゴム硬度Ｈ１に対するゴム硬度Ｈ２の比率Ｈ２／Ｈ１×１００％、ゴム硬度Ｈ１，Ｈ２の実数値をそれぞれ表１〜３のように設定し、部分タイゴム層について、構造、ペリフェリ長さＬ２に対する車両内側の突出量Ｌ１IN／Ｌ２、ペリフェリ長さＬ２に対する車両外側の突出量Ｌ１OUT ／Ｌ２、突出量の差Ｌ１OUT −Ｌ１IN、ゴム厚さｔ、ゴム硬度をそれぞれ表１〜３のように設定し、更に、ビードフィラーおよび部分タイゴム層の各端部の配置について、車両内側のビードフィラーの端部と部分タイゴム層の端部との位置関係（車両内側における位置関係）、車両内側のビードフィラーの先端と部分タイゴム層の先端との離間距離Ｄ１、車両外側のビードフィラーの端部と部分タイゴム層の端部との位置関係（車両外側における位置関係）、車両内側のビードフィラーの先端と部分タイゴム層の先端との離間距離Ｄ２をそれぞれ表１〜３のように設定して、従来例１、比較例１〜２、実施例１〜２９の３２種類の空気入りタイヤを作製した。
【００４０】
表１〜３の「タイゴム層の構造」の欄について、タイゴム層がフルタイゴム層である場合は「フル」、部分タイゴム層である場合は「部分」と記載した。また、端部の配置に関する「車両内側の位置関係」および「車両外側の位置関係」の欄について、部分タイゴム層の端部とビードフィラーとが重複する場合を「重複」、重複しない場合を「非重複」と記載した。
【００４１】
従来例１，２のフルタイゴム層の場合、部分タイゴム層の端部がビード部の先端まで延在して更にビードフィラー回りに折り返されているため、Ｌ１IN＝Ｌ２やＬ１OUT ＝Ｌ２という関係にはならず、Ｌ１INやＬ１OUT がＬ２よりも大きくなり、突出量Ｌ１IN／Ｌ２，Ｌ１OUT ／Ｌ２はいずれも「１．０」を超えた値「１．１」になっている。
【００４２】
これら３２種類の空気入りタイヤについて、下記の評価方法により、タイヤ重量、転がり抵抗、乾燥路面における操縦安定性（操縦安定性）を評価し、その結果を表１〜３に併せて示した。
【００４３】
タイヤ重量
各試験タイヤの重量を測定した。評価結果は、従来例１の測定値の逆数を１００とする指数にて示した。この指数値が大きいほどタイヤ重量が小さいことを意味する。尚、指数値が「９５」以上であれば、従来レベルを維持して充分に小さいタイヤ重量を維持したことを意味する。
【００４４】
転がり抵抗
各試験タイヤを、リムサイズ１５×６Ｊのホイールに組み付け、ＩＳＯ２８５８０に準拠して、ドラム径１７０７．６ｍｍのドラム試験機を用い、空気圧２１０ｋＰａ、荷重４．８２ｋＮ、速度８０ｋｍ／ｈの条件で転がり抵抗を測定した。評価結果は、従来例１の測定値の逆数を１００とする指数にて示した。この指数値が大きいほど転がり抵抗が低いことを意味する。尚、指数値が「９５」以上であれば、従来レベルを維持して充分に低い転がり抵抗を維持したことを意味する。
【００４５】
操縦安定性
各試験タイヤをリムサイズ１５×６Ｊのホイールに組み付けて、空気圧を２１０ｋＰａとして排気量１．５Ｌの試験車両に装着し、乾燥路面からなるテストコースにて、テストドライバーによる官能評価を行った。評価結果は、従来例１を１００とする指数にて示した。この指数値が大きいほど乾燥路面における操縦安定性に優れることを意味する。
【００４６】
【表１】
2019055651.tif 000003
【００４７】
【表２】
2019055651.tif 000004
【００４８】
【表３】
2019055651.tif 000005
【００４９】
表１〜３から明らかなように、実施例１〜２９はいずれも、従来例１に対して、タイヤ重量および転がり抵抗を維持・低減しながら、操縦安定性を向上した。
【００５０】
一方、比較例１は、車両外側のビードフィラー高さが大きいため操縦安定性を向上することはできるが、タイゴム層としてフルタイゴム層が用いられているため、タイヤ重量および転がり抵抗を充分に低く維持することができなかった。比較例２は、車両内側のビードフィラー高さが大きいため、車両外側のサイドウォール部の剛性を高めることができず、操縦安定性を向上することができなかった。
【符号の説明】
【００５１】
１  トレッド部
２  サイドウォール部
３  ビード部
４  カーカス層
５  ビードコア
６  ビードフィラー
６１  車両内側のビードフィラー
６２  車両外側のビードフィラー
７  ベルト層
８  ベルト補強層
９  インナーライナー層
１０  トレッドゴム層
２０  サイドゴム層
３０  リムクッションゴム層
４０  部分タイゴム層
ＣＬ  タイヤ赤道
ＩＮ  車両内側
ＯＵＴ  車両外側
【図１】
2019055651.tif 000006